(57)【特許請求の範囲】
【請求項１】
室外側表面に溝模様が形成された少なくとも２枚のパネル基材の端部同士が略Ｌ字状に突き合わせて接着され、出隅処理がなされた出隅部を備える外壁の出隅部構造であって、
前記出隅部は、削り取り面が室内側に凹状に窪み、かつ、溝模様の溝深さＤの２倍以下の長さとなる面取り幅Ｗで面取りされ、
前記削り取り面は、溝模様の溝形状に対応する形状であるとともに、厚み方向には溝模様の溝深さＤに対応する位置まで削り取られていることを特徴とする外壁の出隅部構造。
【請求項２】
室外側表面に溝模様を有する少なくとも２枚のパネル基材の端部同士を略Ｌ字状に突き合わせ、接着することにより出隅部を形成し、当該出隅部に切削工具を用いて出隅処理を施す外壁の出隅処理方法であって、
前記出隅部に、溝模様の溝深さＤの２倍以下の長さとなる面取り幅Ｗで、かつ、削り取り面を室内側に凹状に窪ませて面取りを施し、
前記面取りを、溝模様の溝形状に対応する断面形状とするとともに、パネル基材の厚み方向には溝模様の溝深さＤに対応する位置まで削り取ることを特徴とする外壁の出隅処理方法。
【請求項３】
請求項２に記載の外壁の出隅処理方法において、
前記出隅部を略Ｖ字形状の断面形状に面取りすることを特徴とする外壁の出隅処理方法。
【請求項４】
請求項２に記載の外壁の出隅処理方法において、
前記出隅部を略Ｕ字形状の断面形状に面取りすることを特徴とする外壁の出隅処理方法。
【請求項５】
請求項２に記載の外壁の出隅処理方法において、
前記出隅部を略円弧状の断面形状に面取りすることを特徴とする外壁の出隅処理方法。
【発明の詳細な説明】
【技術分野】
【０００１】
本発明は、外壁の出隅部構造および出隅処理方法に関する。
【背景技術】
【０００２】
住宅等の建物の外壁がサイディング等の外壁材を用いて施工される場合、通常、所定の規格サイズのもとで板状に形成された多数枚の外壁材を、胴縁等を介して柱等の構造材に固定されている。また、このような外壁の出隅部には、その角部形状に合わせて別途形成された出隅部材や出隅柱が用いられていることが多い。
【０００３】
例えば、出隅部材は、所定規格のもとで形成された１枚の板状外壁材を、その中央部で切断して２枚の基材が形成される。そして、施工する出隅部が直角状であれば、基材の端部をそれぞれ外壁材の厚み方向に対して４５°の角度で切断して突き合わせ端面を形成し、接着剤を塗布して突き合わせ端面同士が接着される。これにより、出隅部材は略直角状に突き合わせられ、外壁の出隅部の形状をなすように形成されていた。
【０００４】
この種の出隅部材または出隅柱として、特許文献１には、２枚の平板状の窯業系板片を突き合わせ、形成された出隅の頂部に面取り部を設ける構成が提案されている。面取り部は、意匠面側に部分的に設けられた凹部のある部分においては、面取り部と裏側角部との距離が小さく形成され、面取り部の幅を一定にして外観の意匠性に配慮することが意図されている。
【０００５】
また、特許文献２には、サイディングの接合面にあらかじめ切欠を設けて入隅用サイディングと出隅用サイディングとを形成し、直角をなして連結できるようにしておくとともに、あらかじめ出隅用サイディングの端部を面取りしている構成が記載されている。
【０００６】
特許文献３にも、外装材の端面同士を接着して、接着部を跨ぐように面取りした構成が記載されており、さらに出隅面取り部の表面に、シーラー、パテ、上塗り塗料を順に塗布して、塗装層にクラックを発生させないようにすることが提案されている。
【特許文献１】特開平９−１５８４３７号公報
【特許文献２】特開平８−３２６２６５号公報
【特許文献３】特開２００４−１４８１４１号公報
【発明の開示】
【発明が解決しようとする課題】
【０００７】
しかしながら、前記従来例の出隅部材では、いずれも面取り部が外壁材の室外側表面に対して４５°の角度で面取りして形成されている。このように、面取り部が４５°の平削りであると、面取り部の幅が大きくなって目立ちやすく、出隅部における良好な外観を確保できないという問題点があった。特に、外壁材表面の模様が大きいものほど、あるいは模様溝の深さが深く形成されているのものほど、その模様の底部（溝底部）まで削り取る必要があって面取り量を多くせざるを得ないため、必然的に面取りする面の幅が拡がってしまっていた。
【０００８】
面取り部の幅が大きくなると、その中央部に、２枚の外壁材の繋ぎ目である接合面のラインが現れ、また外壁材の表面化粧層と、内部の基板層との質感および色調の違いが露出し、非常に見栄えが悪くなる。
【０００９】
また、あらかじめ４５°に面取りした基材同士を突き合わせて出隅部を形成する場合には、接合面に接着剤を塗ってこれらを接合するのに互いにずれてしまったり、接着剤が接合面からはみ出たりして、所望の状態で接合することが難しく、その後処理も煩雑になってしまう問題点があった。
【００１０】
一方で、出隅部において面取りをせずに処理しようとすると、見栄えの問題は解消しうるが、接合面を挟んで模様が連続するように意匠目地ピッチを合わせて接合したり、接合面からはみ出した接着剤を取り除いたりする作業が必要になって、手間がかかり、かえって生産性に劣るという問題点があった。
【００１１】
そこで本発明は、上記のような問題点にかんがみてなされたものであり、作業工程を煩雑にすることなく、パネル基材に形成されている表面模様の連続性を保持しつつ、外壁の出隅部における美観を向上させることのできる外壁の出隅部構造および出隅処理方法を提供するものである。
【課題を解決するための手段】
【００１２】
上記した目的を達成するため、本発明は、室外側表面に溝模様が形成された少なくとも２枚のパネル基材の端部同士が略Ｌ字状に突き合わせて接着され、出隅処理がなされた出隅部を備える外壁の出隅部構造であって、前記出隅部は、削り取り面が室内側に凹状に窪み、かつ、溝模様の溝深さＤの２倍以下の長さとなる面取り幅Ｗで面取りされ、前記削り取り面は、溝模様の溝形状に対応する形状であるとともに、厚み方向には溝模様の溝深さＤに対応する位置まで削り取られていることを特徴とする。
【００１３】
ここで、前記面取り幅とは、面取りした出隅部の削り取り面における稜線間隔で規定される幅をいい、パネル基材同士の接合面の配置方向に、削り取り面を投影した場合の投影幅を指すものとする。
【００１４】
この発明により、パネル基材に形成されている溝模様の溝底まで削りつつも、面取り幅を溝深さの２倍以下の長さに相当する範囲内で形成することができ、施された出隅処理を目立たせることなく、美しい外観を保持することができる。また、パネル基材同士を突き合わせて接着後に出隅処理をすればよいので、接着面から接着剤がはみ出して硬化していても削り取って除去することができ、作業性が高められる。さらに、削り取り面は室内側に凹状に窪んで形成されるので、接合面のラインや色調の違い等が室外側に露出しにくく、外観意匠性を高めることができる。
【００１５】
また、前記構成の外壁の出隅部構造において、前記出隅処理は、断面略Ｖ字形状に面取りが施されていることを特徴とする。あるいは、前記出隅処理は、断面略Ｕ字形状に面取りが施されてもよく、また、断面略円弧状に面取りが施されてもよい。
【００１６】
このような出隅処理により、出隅部における削り取り面を溝模様の溝形状に合わせて形成したり、建物に応じた好ましい意匠に形成したりすることが可能になる。また、これらの削り取り面の面取り形状は、用いる切削工具の刃形状を変えることで対応し得るので、別途新たな切削設備を必要とせず、現行のままの作業工程で、生産性よく形成することができる。
【００１７】
また、上記目的を達成するため、本発明に係る外壁の出隅処理方法は、室外側表面に溝模様を有する少なくとも２枚のパネル基材の端部同士を略Ｌ字状に突き合わせ、接着することにより出隅部を形成し、当該出隅部に切削工具を用いて出隅処理を施す外壁の出隅処理方法であって、前記出隅部に、溝模様の溝深さＤの２倍以下の長さとなる面取り幅Ｗで、かつ、削り取り面を室内側に凹状に窪ませて面取りを施し、前記面取りは、溝模様の溝形状に対応する断面形状とするとともに、パネル基材の厚み方向には溝模様の溝深さＤに対応する位置まで削り取ることを特徴とする。また、かかる構成において、前記出隅部を略Ｖ字形状、略Ｕ字形状、又は略円弧状の断面形状に面取りすることが好ましい。
【００１８】
この発明により、作業工程を煩雑にすることなく前記出隅部構造を容易に形成でき、表面模様の連続性を保持しつつ、外観意匠性を高めた出隅部構造を実現することが可能になる。
【発明の効果】
【００１９】
前記のように特徴づけられる本発明の外壁の出隅部構造および出隅処理方法によれば、出隅部の製造ラインにおいて作業工程を煩雑にすることなく、パネル基材に形成された表面模様の連続性を保持しつつ、外観意匠性を高めて納まりよく出隅部を形成することが可能である。
【発明を実施するための最良の形態】
【００２０】
以下、本発明に係る外壁の出隅部構造および出隅処理方法を実施するための最良の形態について、図面を参照しつつ説明する。
【００２１】
図１は本発明に係る外壁の出隅部構造を示す斜視図、図２〜図３は出隅部の実施例を示す断面図である。また、図５（ａ），（ｂ）は本発明に係る出隅処理方法をそれぞれ模式的に示す説明図である。
【００２２】
なお、本実施形態の説明において示した各断面図では、出隅部構造を見やすくするために、断面を示すハッチングを省略して記載している。
【００２３】
本発明において、建物の外壁仕上に用いられるパネル基材１は、例えば、セメント系、セラミック系等の平板状のサイディング材であり、室外側表面に縦横の一方あるいは双方に溝が設けられて凹凸状の外壁意匠を構成する溝模様が形成されている。この溝模様における溝深さＤは、平均して５ｍｍ〜１０ｍｍ程度で形成されており、例示の形態では、この溝深さが７ｍｍのものについて示している。
【００２４】
建物の出隅部１０は、このようなパネル基材１，１の端部同士を略Ｌ字状に突き合わせて接着することにより形成されている。出隅部１０を形成するにあたり、突き合わせるパネル基材１の側端部は、その厚み方向に対して４５°の角度で斜めに切断されて、接合面２が形成されている。
【００２５】
パネル基材１の接合面２には接着剤が塗布され、同様の接合面２が形成された別のパネル基材１と、互いに直角をなすように略Ｌ字状に接着される。このとき、パネル基材１の室外側表面の溝模様を、接合面２を挟んで連続するように揃えなくともよい。また、突き合わせた接合面２から接着剤がはみ出さないようにする必要もなく、はみ出た接着剤が出隅部１０の室外側で硬化してもよい。
【００２６】
このように形成された出隅部１０には、出隅処理が施される。出隅処理は、溝模様の溝深さＤ（この場合は７ｍｍ）に応じて適宜の面取り幅Ｗで面取りすることによりなされる。また、かかる面取りは切削工具４を用いて行われるが、刃形状が略凸状の切削工具４を用いて、出隅部１０には室内側に凹状に窪んだ削り取り面３が形成される。このとき、接合面２から接着剤がはみ出て硬化した箇所も一緒に除去することができる。
【００２７】
切削工具４は、図５（ａ）に示すように断面略Ｖ字状、あるいは同図（ｂ）に示すように断面略Ｕ字状の刃形状のものを選択する。これにより、出隅部１０に、図２に示したような断面略Ｖ字形状、あるいは図３に示したような断面略Ｕ字形状に窪んだ削り取り面３をそれぞれ設けることができる。また、切削工具４の刃形状を、より大きな曲面を有するものに変えて、図４に示すように、さらに曲面の浅い断面略円弧状の削り取り面３を形成してもよい。
【００２８】
切削工具４の刃形状は、パネル基材１に形成されている溝模様の溝形状に近いものを選択することが好ましい。すなわち、図１に示したように、パネル基材１の溝模様の溝形状が断面略台形状であれば、切削工具４に断面略Ｖ字状の刃形状のものを選択することが好ましい。これにより、例示するような断面略Ｖ字形状の削り取り面３を形成することができ、外観上、溝模様の連続性を絶つことなく、削り取り面３の目立ちにくい出隅部１０を構成することが可能になる。
【００２９】
図６（ａ）は、前記断面略Ｖ字形状に面取りした場合の削り取り面３を示す外壁の断面図である。また、図６（ｂ）は、この実施形態の比較例として、従来の出隅部の削り取り面を示す断面図であり、図７は従来の出隅部を示す斜視図である。
【００３０】
本発明においては、出隅処理の削り取り面３が、溝模様の溝深さＤの２倍以下の長さとなる面取り幅Ｗで形成されている。ここで、面取り幅Ｗとは、図６（ａ）に示すように、出隅処理により形成する削り取り面３における稜線間隔で規定される幅をいう。したがって、例示の形態では、溝深さＤが７ｍｍであるので、１４ｍｍ以下の長さの面取り幅Ｗで面取りすることが好ましく、断面が１２０°の略Ｖ字形状となっているので、面取り幅Ｗは約１２．６ｍｍで形成されることになる。
【００３１】
これに対し、図６（ｂ）に比較例として示す従来の出隅部９では、溝深さｄが同じ７ｍｍであるのに対して、約１９．８ｍｍの面取り幅ｗの面づらが形成される。すなわち、図７に示すように、従来の出隅部９の削り取り面９１は、本発明における削り取り面３（図１参照）に比べてその幅が非常に大きくなり、目立ちやすいものとなっている。したがって、本発明の出隅処理方法によって、面取り幅Ｗを比較的小さく構成して、外観にもたらす意匠上の影響を最小限に抑えつつ、美しい納まりを形成することができるものとなっている。
【００３２】
以上のように、本発明では、建物における出隅部１０を、作業工数を増やすことなく、あらかじめ工場で製造することができ、施工現場においては建物の外壁面の他の部分と同様に、パネル基材１を用いて構成した出隅部部材を設置するだけで済み、優れた施工性で納まりよく出隅部１０を形成することができる。また、かかる出隅部構造および出隅処理方法によれば、形成された出隅部１０の削り取り面３が目立ちにくく、パネル基材１の室外側表面に形成された溝模様の意匠性を殺すことなく、模様を連続させて見せる効果をもたらすことができる。
【００３３】
したがって、施工される建物において、外観上の統一感をもたせて所望の意匠性を実現することができ、多用な表現に対応した外壁を形成することが可能になる。
【産業上の利用可能性】
【００３４】
本発明は、住宅等の建物における外壁の出隅部を納まりよく構成するのに好適に利用することができる。
【図面の簡単な説明】
【００３５】
【図１】本発明に係る外壁の出隅部構造を示す斜視図である。
【図２】本発明における出隅部の実施例を示す断面図である。
【図３】本発明における出隅部の他の実施例を示す断面図である。
【図４】本発明における出隅部の参考例を示す断面図である。
【図５】本発明に係る出隅処理方法をそれぞれ模式的に示す説明図であり、（ａ）は断面略Ｖ字形状に面取りする例、（ｂ）は断面略Ｕ字形状に面取りする例を示す。
【図６】（ａ）は本発明において出隅部を前記断面略Ｖ字形状に面取りした場合の削り取り面を示す外壁の断面図であり、（ｂ）は従来の出隅部の削り取り面を比較例として示す断面図である。
【図７】従来の出隅部を示す斜視図である。
【符号の説明】
【００３６】
１    パネル基材
２    接合面
３    削り取り面
４    切削工具（刃形状）
１０  出隅部
【図１】
0004692379.tif 000002
【図２】
0004692379.tif 000003
【図３】
0004692379.tif 000004
【図４】
0004692379.tif 000005
【図５】
0004692379.tif 000006
【図６】
0004692379.tif 000007
【図７】
0004692379.tif 000008